(57)【特許請求の範囲】
【請求項１】
２つの低レートチャネルを使用して高レートチャンネルを発生する方法であって、
ａ）第１入力位相要素と第１直交位相要素を有する第１低レートチャンネルを発生する工程と、
ｂ）第２入力位相要素と第２直交位相要素を有する第２低レートチャンネルを発生する工程と、
ｃ）前記第１および第２直交位相要素を第１および第２入力位相要素に関連した所定存続期間により遅延して、それぞれ、第１遅延直交位相要素と第２遅延直交位相要素を生成する工程と、
ｄ）前記第１入力位相要素と前記第２入力位相要素を合成して、入力位相シヌソイドでアップコンバートする工程と、
ｅ）前記第１遅延直交位相要素と前記第２遅延直交位相要素を合成して、直交位相シヌソイドでアップコンバートする工程と、
ｆ）前記アップコンバートされた各要素を合成する工程と、
を備える、方法。
【請求項２】
前記工程ａ）とｂ）が、
ａ）ソースデータをエンコードする工程と、
ｂ）前記エンコードされたデータをインタリーブする工程と、
ｃ）前記インタリーブされたデータをチャンネルコードで変調する工程と、
ｄ）前記変調されたソースデータの第１コピーと、前記変調されたソースデータの第２コピーを作成する工程と、
ｅ）前記第１コピーを入力位相コードで、前記第２コピーを直交位相コードで変調する工程と、を備える、請求項１に記載の方法。
【請求項３】
２つの低レートチャンネルを使用して高レートチャンネルを発生する装置であって、
ａ）第１入力位相要素と第１直交位相要素を有する第１低レートチャンネルを発生する第１集積回路と、
ｂ）第２入力位相要素と第２直交位相要素を有する第２低レートチャンネルを発生する第２集積回路と、
ｃ）前記第１および第２直交位相要素を第１および第２入力位相要素に関連した所定存続期間により遅延して、それぞれ、第１遅延直交位相要素と第２遅延直交位相要素を生成する第３集積回路と、
ｄ）前記第１入力位相要素と前記第２入力位相要素を合成して、入力位相シヌソイドでアップコンバートする第１アップコンバート器と、
ｅ）前記第１遅延直交位相要素と前記第２遅延直交位相要素を合成して、直交位相シヌソイドでアップコンバートする第２アップコンバート器と、
ｆ）前記第１チャンネルと前記第２チャンネルの前記アップコンバートされた要素を合成するために、前記第１アップコンバート器と前記第２アップコンバート器に通信可能に接続される合成器と、
を備える、装置。
【請求項４】
前記第１集積回路と前記第２集積回路は、
ａ）ソースデータをエンコードするためのエンコーダと、
ｂ）前記エンコーダに通信可能に接続され、前記エンコードされたデータをインタリーブするインタリーバと、
ｃ）前記インタリーバに通信可能に接続され、前記インタリーブされたデータをチャンネルコードで変調する変調器と、
ｄ）前記変調器に通信可能に接続され、前記変調されたソースデータの第１コピーと、
前記変調されたソースデータの第２コピーを作成するスプリッタと、
ｅ）前記スプリッタに通信可能に接続され、前記第１コピーを入力位相コードで、前記第２コピーを直交位相コードで変調する変調器と、
を備える、請求項３に記載の装置。
【請求項５】
前記合成器は、
ａ）前記アップコンバートされた第１入力位相要素を前記アップコンバートされた第１直交位相要素と合成する、第１合成器と、
ｂ）前記アップコンバートされた第２入力位相要素を前記アップコンバートされた第２直交位相要素と合成する、第２合成器と、
ｃ）前記合成された要素を合成する第３合成器と、
を備える、請求項３に記載の装置。
【請求項６】
２つの低レートチャンネルを使用して高レートチャンネルを発生する装置であって、
ａ）第１入力位相要素と第１直交位相要素を有する第１低レートチャンネルを発生するための手段と、
ｂ）第２入力位相要素と第２直交位相要素を有する第２低レートチャンネルを発生するための手段と、
ｃ）前記第１および第２直交位相要素を第１および第２入力位相要素に関連した所定存続期間により遅延して、それぞれ、第１遅延直交位相要素と第２遅延直交位相要素を生成する手段と、
ｄ）前記第１入力位相要素と前記第２入力位相要素を合成して、入力位相シヌソイドでアップコンバートする手段と、
ｅ）前記第１遅延直交位相要素と前記第２遅延直交位相要素を合成して、直交位相シヌソイドでアップコンバートする手段と、
ｆ）前記アップコンバートされた要素を合成するための手段と、
を備える、装置。
【請求項７】
第１低レートチャンネルと第２低レートチャンネルを発生するための手段が、
ａ）ソースデータをエンコードするための手段と、
ｂ）前記エンコードされたデータをインタリーブするための手段と、
ｃ）前記インタリーブされたデータをチャンネルコードで変調するための手段と、
ｄ）前記変調されたソースデータの第１コピーと前記変調されたソースデータの第２コピーを作成するための手段と、
ｅ）前記第１コピーを入力位相コードで、前記第２コピーを直交位相コードで変調するための手段と、
を備える、請求項６に記載の装置。
【請求項８】
合成するための手段が、
ｄ）前記アップコンバートされた第１入力位相要素を、前記アップコンバートされた第１直交位相要素と合成するための手段と、
ｅ）前記アップコンバートされた第２入力位相要素を、前記アップコンバートされた第２直交位相要素と合成するための手段と、
ｆ）前記合成された要素を合成するための手段と、
を備える、請求項６に記載の装置。
【発明の詳細な説明】
【技術分野】
【０００１】
本発明は、複数の低データレートチャンネルにおける高レート転送を行う装置及び方法に関するものである。本発明は、低レートチャンネルのセットを使用して、最大・平均振幅の縮小と供給されるべき高データレートチャンネルとを実現する。
【背景技術】
【０００２】
ＩＳ−９５標準は、ＣＤＭＡ（コード分割マルチプルアクセス）技術を用いて効率的で堅牢な携帯電話サービスを供給する。ＣＤＭＡ技術は、同一通信周波数（ＲＦ）電磁波スペクトラム内で、一又は複数の擬似ノイズ（ＰＮ）コードによって転送すべきデータの変調によって、マルチチャンネルを確立するものである。図１は、ＩＳ９５の仕様に応じて、十分に簡略化された携帯電話の概略を提供する。移動電話（例えば無線端末）１０は、ＣＤＭＡ変調通信周波数信号を通じて基地局１２と通信し、基地局制御部１４は、移動通信を発生する制御機能を呼び出す。移動スイッチングセンター（ＭＳＣ）１６は、公衆交換電話ネットワーク（ＰＳＴＮ）１８への接続機能をもつ呼びを供給する。
【０００３】
同一の通信周波数帯域内での通信は、隣接した基地局が同一の通信周波数をしようすることを可能にし、使用可能な帯域幅の利用を促進する。他の携帯電話標準は、一般には、異なる通信周波数スペクトラムを使用することを要求する。同一の通信周波数帯域の使用により“ソフト的なハンドオフ”が可能となり、これは、複数の基地局の守備範囲を持つ無線端末（一般には携帯電話）のとても確実な通信方法である。ソフトハンドオフは、複数の基地局に対して同時に通信する状態を言い、これは、通信時、どんなときでも少なくとも一つのインタフェースが維持される可能性を向上させるものである。ソフトハンドオフは、ハードハンドオフとは対称的なものであり、他のほとんどの携帯電話で使用されるハードハンドオフでは、第２基地局が確立される前に第１基地局が終わってしまった。
【０００４】
同一の通信周波数を使用する他のメリットとして、同一の通信周波数装置が低レートチャンネルのセットを転送することに使用できることがある。これにより、低レートチャンネルのセットを越えて、より高い多重化によって高いレートチャンネルを供給することができる。同一通信周波数装置を使用する転送マルチチャンネルは、周波数分割又は時分割マルチアクセス（ＦＤＭＡやＴＤＭＡ）システムによく比較され、ＣＤＭＡシステムよりも大きい程度に周波数分割されるので、同一の通信周波数装置を使用して同時にマルチチャンネルで通信することは一般にできないとされている。同一通信周波数装置を使用して高レートチャンネルで転送する能力は、ワールドワイドウエッブや、ビデオ会議、又高い通信レートを要求する他のネットワーク技術を考えると、ＩＳ−９５のもう一つの重要な利点となる。
【０００５】
より高レートなチャンネルは、ＣＤＭＡシステムにてチャンネルをバンドル（bundle）することで容易に形成されることができるが、システム全体のパフォーマンスは、最良のものとはならない。これは、マルチチャンネルの合計によって、最大・平均振幅の波形が、低レートシリアルチャンネルのときよりも大きいものになるからである。例えば、シリアルチャンネルの間、波形の振幅は、ＩＳ−９５によるＢＰＳＫデータ変調に従って、＋１から−１となる。このように、最大・平均率は、実質的にシヌソイド（sinusoid）の波形を描くことになる。４つの低レートチャンネルを合計する高レートチャンネルとしては、波形の振幅を、＋４，−４，＋２，−２と０とを取ることができる。このようにバンドルされたチャンネルの最大・平均振幅は、シヌソイド（sinusoid）よりも決定的に大きく、従って、バンドルされていないチャンネルよりも高いことになる。
【０００６】
増幅された最大・平均振幅は、システムの転送増幅器において過大な要求が求められ、これは、システムが動作する最大データレートや最大範囲を減少させることができる。いくつかの事項に関するこれらの要求のうちで最も重要なことは、平均転送と受信出力に基づく平均データ転送であり、高い最大・平均振幅波形は、与えられた平均転送出力を維持するために大きな最大転送出力を要求する。従って、高い最大・平均波形と同等のパフォーマンスを供給するためには、より大きくより高価な転送増幅器が要求されることになる。それにも関わらず、低レートチャンネルのセットをバンドルすることで、ＣＤＭＡにてより高いデータレートチャンネルを供給することが非常に望まれている。このように、低レートＣＤＭＡチャンネルをバンドルしたセットのための最大・平均転送振幅を縮小させる方法と装置が必要とされている。
【発明の概要】
【０００７】
本発明の一例は、二つの低レートチャンネルを使用した高レートチャンネルの供給方法を提供するものであり、この方法は、a)第１チャンネルを使用する第１位相をもつ第１低レートチャンネルを供給する工程と、b)前記第１位相に関して９０°だけ回転された第２位相を有する第２低レートチャンネルを有しており第２チャンネルコードを使用する第２低レートチャンネルを供給する工程と、c)第１低レートチャンネルと第２低レートチャンネルとを合計して合計データをもたらす工程と、d)通信周波数帯域にて前記合計データを転送する工程とを有している。
【０００８】
本発明の他の例として提供される高レートチャンネルを供給するシステムは、第１低レートチャンネルを供給する第１集積回路と、第２低レートチャンネルを供給する第２集積回路と、前記第２低レートチャンネルの回転位相とを転送する転送ユニットとを有している。
【０００９】
更に本発明が他の例として提供する高レートチャンネルを供給するシステムは、第１低レートチャンネルを供給する第１チャンネル処理手段と、第２低レートチャンネルを供給する第２チャンネル処理手段と、前記第１低レートチャンネルと前記第２低レートチャンネルの回転位相とを転送する転送手段とを有している。
【００１０】
更に本発明が提供するデータ転送方法においては、高データレートによりデータが供給され複数の低データレートチャンネルにて分配されるものであり、これらのデータは、第１位相の第１信号と、これとは異なる位相である第２層の第２信号とを有しており、第１・第２位相は複数チャンネル内の全てのチャンネルにおいて異なっており、複数チャンネルの信号が互いに合わせられて転送のための合成信号を供給する。
【００１１】
更に本発明が供給するデータ転送装置は、高データレートでデータを供給し複数低データレートチャンネルでこれを分配するデータソースと、第１位相と第２位相とが複数チャンネルの中の全ての他のチャンネルの中では異なるものであるとき、第１位相で第１信号を供給し第２位相で第２信号を供給する各チャンネルのためのジェネレータであり、転送のための合成信号を供給するべく複数チャンネルにて信号をお互いにそれぞれ合成する合成回路とを有している。
【００１２】
本発明の目的は、低レートチャンネルのセットを使用して、縮小された最大・平均振幅を供給する新規で改善された方法と装置を提供することである。本発明の実施形態において、低レートチャンネルのセットは、合計され転送される前に、位相が回転される。位相の回転の量は、高レートチャンネルを形成することに用いられる複数のチャンネルに基づいている。複数の低レートチャンネルが用いられる実施形態においては、二つのチャンネルの入力位相と直交位相は、入力位相と直交位相とのシヌソイド（sinusoids）アップコンバートの前に、かけ合わされる。二つ以上の低レートチャンネルからなる高レートチャンネルにとって、入力位相と直交位相のチャンネル要素は、他方によりオフセットされるシヌソイド（sinusoids）によってアップコンバートされる。
【図面の簡単な説明】
【００１３】
【図１】携帯電話システムのブロックダイアグラム。
【図２】リバースリンク信号を供給する転送システムのブロックダイアグラム。
【図３】高レート転送システムのブロックダイアグラム。
【図４】本発明の一実施形態に応じて構成された高レート転送システムのブロックダイアグラム。
【図５】本発明の効果を示すべく供給された信号のグラフ。
【図６】本発明の他の実施形態に応じた高レート転送システムのブロックダイアグラム。
【図７】本発明の他の実施形態に応じた高レート転送システムのブロックダイアグラム。
【図８】本発明の効果を示すべく供給された信号のグラフである。
【発明を実施するための形態】
【００１４】
低レートのセットを使用する高データレートチャンネルの縮小された最大・平均振幅を供給する方法及び装置が示される。以下の陳述において、本発明は、ＩＳ−９５リバースリンク波形に応じて発生する信号の状況（コンテキスト）として表現される。発明は、このような波形の使用に特に適応し、他のプロトコルに応じて発生した信号と共に使用される。ＩＳ−９５標準の仕様に実質的に応じて信号を供給する方法と装置は、“ＣＤＭＡ携帯電話システムにおける信号波形を出力する方法及び装置”というタイトルの本発明に引例として含められたＵＳパテント５，１０３，４５９に記載されている。
【００１５】
図２は、ＩＳ−９５標準に応じた単リバースリンク通信チャンネルを発生する無線端末により使用される転送システムのブロックダイアグラムである。転送されたデータ４８は、２０ｍｓｅｃ単位で、“全レート”、“半レート”、“１／４レート”、“１／８レート”の内のどれか一つのレートのいわゆるフレーム毎にそれぞれ回旋型エンコーダ５０へ供給され、これにより、フレームは以前より半分の量のデータでデータを転送しており、これによりデータを半分のレートで転送する。データ４８は一般には、ボコーダシステムなどのデータソースからの可変レートボコーディドオーディオ情報であり、ボコーダシステムでは、例えば会話が中断して存在する情報が少ないとき低レートフレームが使用される。回旋型エンコーダ５０は、コード化されたシンボル５１を供給するデータ４８をエンコードし、シンボルリピータ５２は、フルレートフレームと同等量を供給するために十分な量だけリピートされるシンボル５３を供給する。例えば１／４レートフレームの３つの追加コピーは、コピー４つを一つのトータルとして供給される。フルレートフレームの追加コピーとしては供給されない。
【００１６】
ブロックインタリーバ５４は、リピーティドシンボル５３を挟むことにより、インタリーブ信号５５を出力する。変調器５６は、インタリーブシンボルを６４アレイ変調してワルシュ(walsh)シンボル５７を出力する。それはすなわち、可能な直交ワルシュコードの一つであり、各コードは６４の変調チップからなっており、６つのインタリーブドシンボル５５ごとに転送され処理される。データバースト攪拌器５８は、フレームレート情報を用いてワルシュシンボル５７に関して擬似ランダムにてゲート処理を行い、データの完全な例だけが転送されることになる。ゲート処理されたワルシュチップは、次に擬似ランダム（ＰＮ）長チャンネルコード５９を使用して、４つの長チャンネルコードチップのレートにおいて、変調データ６１を出力する各ワルシュチップへ変調シーケンスを指示する。長チャンネルコードは、リバースリンクのチャンネル化機能を形成し、各移動電話にとって固有のものであり、各基地局１０により知られている。フォワードリンクに対して、本発明の適用が可能であり、より短いワルシュコードをチャンネル化に使用することができる。変調データ６１が、Ｉチャンネルデータを供給する入力位相擬似ランダム拡張コード（ＰＮＩ）、変調を介して“拡張（spread）”である第１コピーへ複写され、更に、ディレイ６０により拡張コードチップの存続期間の半分の時間だけ遅延された後に、Ｑチャンネルデータを供給する直交位相拡張コード（ＰＮＱ）である第２コピーへ変調を介して複写される。ＩチャンネルデータとＱチャンネルデータとは、位相シフトキー（ＰＳＫ）が入力位相と直交位相とによりキャリア信号をそれぞれ変調する以前に、両方とも（図示されない）ローパスフィルタがかけられる。入力位相と直交位相とで変調されたキャリア信号は、基地局か他の受信システム（図示されない）に転送されるかする以前に、一緒に合計される。
【００１７】
波線１００は、本発明の一実施形態である第１集積回路（左側）と通信周波数システム（右側）との処理の境界線を示している。このように、単チャンネルの上記の分割線７０と左への処理を行う集積回路が、可能であり広く用いられる。更に、キャリア信号のためのいくつかの引例が、信号をキャリア周波数へとアップコンバートするシステムを容易に説明しているし、これらは、アップコンバート工程や混合工程、位相信号を含むものである。更に、本発明は、オフセット−ＱＰＳＫ拡張の実行の記述の中に示されるものであり、その一般的な原理は、ＢＰＳＫとＱＰＳＫ変調とを含む他のよく知られた変調技術に適用されるものである。
【００１８】
図３は、本発明の一面には限定されない二つの低レートチャンネルを含めることにより高レートリンクを発生する転送システムのブロックダイアグラムである。好ましくは、チャンネルＡは、第１集積回路にて発生され、チャンネルＢは、第２集積回路にて発生されるが、このような構成は必ずしも本発明には必要ない。しかし、チャンネルＡとチャンネルＢとは、図２に関する上述した記載（コーディングは示されない）に示されるように、単チャンネルの処理に従ってコード化される。ＩＣ回路８０において、チャンネルＡは、チャンネルＡ長コード（長コード）により変調され、入力位相の拡張コードＰＮＩにより拡張され、一つ半のチップディレイの後に、直交位相の拡張コードＰＮＱによって拡張される。同様に、ＩＣ回路８２において、チャンネルＡは、チャンネルＡ長コード（長コード）により変調され、入力位相の拡張コードＰＮＩにより拡張され、一つ半のチップディレイの後に、直交位相の拡張コードＰＮＱによって拡張される。
【００１９】
長コードＡ，Ｂは、それぞれのチャンネルが独立して復調できるように、固有のものとするべきであり、好ましくは互いに直交されているべきである。チャンネルコードのセットを供給する様々な方法やシステムが既に開発されている。その方法の一つが、“ユーザに可変データレートアクセスを供給するコード分割マルチプルアクセスシステム”というタイトルをもつＵＳパテントＮｏ．５，４４２，６２５に記載されている。他の装置や方法が、引例として本発明に含まれる“高データレートＣＤＭＡ無線通信システム”というタイトルのＵＳパテントＮｏ．０８／６５４，４４３と、“ＣＤＭＡ無線通信システムでの高速データ受信送信方法及び装置”というタイトルの１９９７年５月１日に出願のＵＳパテントＮｏ．０８／８７４，２３１とに、記載されている。
【００２０】
集積回路８０，８２の外において、ＰＮＩ拡張チャンネルＡデータは、合計された入力位相のデータ１２０を出力するＰＮＩ拡張チャンネルＢデータに加えられる。更に、ＰＮＱ拡張チャンネルＡは、合計された直交位相のデータ１２０を出力するＰＮＩ拡張チャンネルＢデータに加えられる。明らかなように、合計された入力位相データ１２０と直交位相データ１２２とは、＋２，０，−２の値を取り、ここで−１は論理的なゼロを意味し、＋１は論理的な１を意味する。合計された入力位相データ１２０は、入力位相キャリアによりアップコンバートされ、合計された直交位相キャリアデータ１２２は、直交位相キャリアによりアップコンバートされ、結果としてアップコンバート信号が合計され、転送信号１２８を出力することとなる。
【００２１】
図４は、本発明の一実施形態に応じて構成されるとき、二つの低レートチャンネルを併せることで、高レートリンクを供給する転送システムのブロックダイアグラムである。チャンネルＡは、第１集積回路９０の中で供給され、チャンネルＢは、第２集積回路９２内で供給される。チャンネルＡとチャンネルＢとは、上述した図２（codingは示されない）に関して既に記載された信号チャンネルの工程に従って適切にコード化される。ＵＳパテントＮｏ．０８／８７４，２３１に上述されるように、高レートのデータは、チャンネルＡとチャンネルＢとにデータパケットとして分割される。データパケットは、（図示しない）データソースから分割され、一方は、チャンネルＡとチャンネルＢとの間で掛け合わされるシングルデータストリーム（マルチプレクサは図示されない）として、一方は、チャンネルＡとチャンネルＢのそれぞれのための複数データストリームとして（この時マルチプレクシングは必要ない）、供給される。
【００２２】
集積回路９０において、チャンネルＡは、長コードＡにより変調され、入力位相拡張コードＰＮＩにより拡張され、入力位相チャンネルＡデータ９４を出力し、一つ半のチップディレイの後に、直交位相拡張コードＰＮＱにより拡張され、直交位相チャンネルＡデータ９６を出力する。同様に、集積回路９２内により、チャンネルＢが長コードＢにより変調され、入力位相拡張コードＰＮＩにより拡張され、入力位相チャンネルＢデータ９８を出力し、一つ半のチップディレイの後に、直交位相拡張コードＰＮＱにより拡張され、直交位相チャンネルＢデータ９９を出力する。
【００２３】
集積回路９０，９２の外部にて、入力位相チャンネルＡデータ９４は、０°位相キャリア(COS(ωct))により、直交位相チャンネルＡデータ９６は、９０°位相キャリア(SIN(ωct))により変調される。更に、入力位相チャンネルＢデータ９８は、９０°位相キャリア(COS(ωct + 90°))により、直交位相チャンネルＢデータ９６は、１８０°位相(SIN(ωct + 90°))により変調される。結果的に変調信号は、合成器１００により合成され、二つの低レートリンクからなる信号１０２を出力する。図４により記載されたように、チャンネルＢは、入力位相と直交位相とのキャリアをそれぞれ用いてアップコンバートされ、この直交位相のキャリアは入力位相と９０°の位相差を持っており、直交位相のキャリアはチャンネルＢのアップコンバートに用いられる。このように、チャンネルＢは、チャンネルＡに関して９０°の回転が行われることが言われている。以下に述べるように、各チャンネルのピーク振幅は同時に発生することがないので、従って常に合成されることがなく、従って、合成される前のチャンネルＡに関して９０°位相回転されたチャンネルＢは、転送振幅を縮小させることとなる。振幅のピークの縮小は、ＲＦ転送増幅器が使用される際の効果を向上させることができる。
【００２４】
図５は、本発明の効果を示す各種の正弦（sinusoids）信号の増幅を示すグラフである。信号１１４は、図２で示された非位相回転高レートシステムの入力位相チャンネルへ供給される転送信号である。信号１１６は、図３に示された位相回転高レートシステムの入力位相チャンネルにより供給された転送信号であり、このシステムではチャンネルＢが、チャンネルＡに関して９０°の位相回転が行われた正弦（sinusoids）信号によって変調される。本発明を簡略化して示すべく入力位相チャンネルだけが示されているが、この原理はもちろん、直交位相チャンネルや入力位相の合計、直交位相チャンネルへと適用できる。
【００２５】
期間Ａ、Ｂ、Ｃは、データ転送を示しており、このようにデータの三つのセットを定義している。三つの期間において、チャンネルＡ、Ｂから転送されたデータは、それぞれ（＋１，＋１）（＋１，−１）（−１，−１）である。
【００２６】
回転されていない信号１１４のために、期間Ａにより転送された信号は、
(+1)COS(ωct) + (+1)COS(ωct)であり、これは(2)COS(ωct)と同等です。期間Ｂにより転送された信号１１４は、(+1)COS(ωct) + (-1)COS(ωct)であり、グラフに示すように合計するとゼロになる。期間Ｃにおいて転送された信号は、
(-1)COS(ωct) + (-1)COS(ωct)となりこれは(-2)COS(ωct)と等しい。このように、信号１１４は、一般に、振幅２の正弦（sinusoid）かゼロ振幅信号により構成される。
【００２７】
回転信号１１６において、時間Ａにより転送された転送信号は、
(+1)COS(ωct) + (+1)COS(ωct + 90°)であり、これは(1.4)COS(ωct + 45°)に等しい。明らかなように、同時間において信号１１４に関する約３０％の振幅の縮小が可能となる。ライン１１８は、時間Ａにおける信号１１４，１１６の振幅のピークの差を示している。時間Ｂにおいて、信号１１６は
(+1)COS(ωct) + (-1)COS(ωct + 90°)
であり、これは、1.4 COS(ωct - 45°)と同等の値である。時間Ｃにおける信号１１６は、(-1)COS(ωct) + (-1)COS(ωct + 90°)
であり、これは、1.4 COS(ωct - 215°)と同等の値である。このように、信号１１６は、振幅２の正弦（sinusoids）や信号１１４のゼロ振幅信号よりもむしろ振幅１．４の正弦（sinusoids）の連続により構成され、従って、信号１１４よりも低ピーク平均率をもっている。最大・平均振幅での同様の縮小は、合成信号の直交位相振幅においてみられ、これにより、最大・平均転送振幅の同様な全体の縮小をもたらし、転送増幅器の使用をより効果的なものとする。
【００２８】
図６は、本発明の第２実施形態に応じて構成された転送システムのブロックダイアグラムであり、二つのチャンネルが合成され高レートチャンネルを実現する。同様な方法により、図４に示されたように、集積回路９０は、入力位相チャンネルＡデータ１５４と、直交位相チャンネルＡデータ１５６と、集積回路９２に供給される入力位相チャンネルＢデータ１５８と、直交位相チャンネルＢデータ１６０とを供給する。集積回路９０，９２の外では、入力位相チャンネルＡデータ１５４が直交位相チャンネルＢデータ１６０のマイナスと合成されて入力位相データ１６２を出力し、直交位相チャンネルＡデータ１５６は、入力位相チャンネルＢデータ１５８と合成されて直交位相データ１６４を出力する。入力位相データ１６２は、入力位相キャリアによりアップコンバートされ、直交位相データ１６４は直交位相キャリアによりアップコンバートされて、これらが合成され、アップコンバート信号が信号１６６として出力される。
【００２９】
当業者は、チャンネルＡとチャンネルＢの合成掛け算が、入力位相（実軸）と直交位相（虚軸）とからなる結果を供給し、これらが入力位相及び直交位相のキャリアによりそれぞれアップコンバートされるものであることを理解するだろう。複合的な掛け算を実行することで、位相回転波形は、追加の位相オフセット正弦（sinusoids）を供給する必要なく位相回転波形が発生し、必要な転送処理を簡略化することができるだろう。
【００３０】
図７は、本発明の他の実施形態に応じて構成された転送システムのブロックダイアグラムであり、このシステムでは、Ｎチャンネルのセットがバンドルされ、Ｎ＝５のときの本発明の一実施形態に応じてより高レートのチャンネルが形成される。集積回路１８０において、チャンネルｉ＝０  …  ４の入力位相と直交位相は、集積回路９０，９２に関して上述したように供給される。集積回路１８０の外において、各チャンネルの入力位相は、シヌソイド（sinusoids）COS(ωct + i/N・180°)を用いてアップコンバートされるもので、この式において、ｉは指定されたチャンネルの番号、Ｎは示された例においてより高いレートチャンネルを得るためにバンドルされたチャンネルの数であり、５である。結果としてアップコンバートされた信号が合計され、信号１９０として転送される。
【００３１】
チャンネルのセットにおいて、チャンネルＮのセットにおける各チャンネルｉ＝０〜Ｎ−１にて使用されるキャリア信号の位相を各チャンネルｉ／Ｎ・１８０°だけ回転することにより、合計波形により供給されるピーク転送振幅は、非回転シヌソイド（sinusoids）キャリアを用いて転送された合計チャンネルにより形成されるピーク振幅に関して縮小される。これは、信号セットの振幅は全て同時にピークとなるために、シヌソイド（sinusoids）信号の位相回転は一貫性を欠いているからである。このように、与えられた転送増幅器は、高転送レート信号をより効果的に行うことができる。一方、他の位相オフセットスペーシング（spacing）を使用した場合は、最大値、平均距離、位相差が提供されるという意味で、良好な実施となるだろう。
【００３２】
図８は、多くのシヌソイド（sinusoids）信号の振幅のグラフであり、更に複数の低レートチャンネルがバンドルされた図７の高レートチャンネルのための本発明の効果を示している。信号１３０は、５つの非回転低レートチャンネルを合成することにより与えられた高レートチャンネルの入力位相部分に対応し、チャンネルＡからＥを参考にするものである。信号１３２は、図７に示されるように５つの位相回転低レートチャンネルの合成により与えられた高レートチャンネルの入力位相部分に対応する。本発明を簡略化するべく入力位相チャンネルだけが示されているが、この原理は、直交位相チャンネルや、入力位相チャンネルと直交位相チャンネルとを併せた場合へも適応することができる。時刻Ｄ、Ｅ、Ｆは、データ転送を示しており、三つのデータのセットを定義している。三つの期間において、チャンネルＡからＥを通じて送られたデータは、それぞれ、(+1,+1,+1,+1,+1), (+1,-1,-1,-1,+1) と、(-1,-1,-1,-1,-1)である。
【００３３】
図８から判るのは、非回転信号１３０の振幅は、期間ＤとＥにおいて量１３４により回転された信号１３２の振幅よりも大きいということである。これは、期間Ｄ、Ｅにおいて、５つの低レートチャンネルは首尾一貫して与えられ、５つの回転された信号は与えられないからである。期間Ｅの間、非回転信号１３０の振幅は、回転信号１３０のそれよりも小さい。これは５つの非回転低レートチャンネルが、５つの回転低レートチャンネルのときよりも、より多く加えているからである。従って本発明は、転送増幅器はより効果的に使用されるものであり、使用されるべき低コスト増幅器又は広いレンジに渡り使用されるべき増幅器もこれに含まれる。
【００３４】
良好な実施形態の様々な記載により、当業者は本発明の作成と使用を実現することができるだろう。これらの実施形態の様々な変形例が当業者により容易に明かであり、開示された広い意味での原理を発明的な能力をもたなくとも様々な実施形態に適用することができるだろう。このように本発明は、開示された原理と新規な特徴に矛盾しない広範な範囲に及ぶものであり、上述した実施形態に限定されることはない。
【図１】
0004456171.tif 000002
【図２】
0004456171.tif 000003
【図３】
0004456171.tif 000004
【図４】
0004456171.tif 000005
【図５】
0004456171.tif 000006
【図６】
0004456171.tif 000007
【図７】
0004456171.tif 000008
【図８】
0004456171.tif 000009